(57)【要約】【課題】位置検出マーク付き連続用紙に印字をするプリンタであって、用紙位置検出センサが何らかの理由で位置検出マークを検出できなかった場合にも、所定の印字動作を停止することなく継続するプリンタの提供。【解決手段】位置検出マーク付き連続用紙２に印字を行うプリンタ１であって、常時作動されるマーク検出機能と送り量検出機能、及びマーク検出機能を利用した用紙送りモード（マーク検出モード）と設定送り量検出機能を利用した用紙送りモード（送り量検出モード）で動作する機構を備え、さらに、マーク検出がエラーとなるとき、マーク検出モードから送り量検出モードに切り替えて用紙を送り、印字動作を継続させる制御部１２を設ける。【選択図】図４
2008238484.tif 000002
【特許請求の範囲】
【請求項１】
ラベル用紙及びタグ用紙などの連続用紙に設けられたラベル間のギャップまたはマーク等を検出するマーク検出センサを有し、前記マーク検出センサの検出結果に基づいてマーク位置を基準として連続用紙を印字位置に位置決めして印字を行うマーク検出モードと、予め設定した単位用紙長に基づいて用紙送り量を基準として連続用紙を印字位置に位置決めして印字を行う送り量検出モードとを有するプリンタにおいて、
前記マーク検出モードと前記送り量検出モードを同時に動作させ、
前記マーク検出モードにおけるマーク位置の検出と、前記送り量検出モードにおける単位用紙長の検出のうち先に検出された検出結果を基準として連続用紙を印字位置に位置決めして印字を行わせる制御部を備えることを特徴としたプリンタ。
【請求項２】
ラベル用紙及びタグ用紙などの連続用紙に設けられたラベル間のギャップまたはマーク等を検出するマーク検出センサを有し、前記マーク検出センサの検出結果に基づいてマーク位置を基準として連続用紙を印字位置に位置決めして印字を行うマーク検出モードと、予め設定した単位用紙長に基づいて用紙送り量を基準として連続用紙を印字位置に位置決めして印字を行う送り量検出モードとを有するプリンタにおいて、
前記マーク検出モードで動作中に前記マーク検出センサの検出結果にマーク検出エラーが生じた場合に前記送り量検出モードに切り換えて印字動作を継続させる制御部を備えることを特徴としたプリンタ。
【請求項３】
制御部は、マーク検出モードで動作中に前回のマーク検出位置からマーク間送り量（単位用紙長）に達してもマークが検出されない場合をマーク検出エラーとすることを特徴とした請求項２に記載のプリンタ。
【請求項４】
制御部は、マーク検出モードで動作中に前回のマーク検出位置からマーク間送り量（単位用紙長）を設定値ｆ１だけ超過してもマークが検出されない場合をマーク検出エラーとすることを特徴とした請求項２に記載のプリンタ。
【請求項５】
制御部は、送り量検出モードに切り替わった後、マークが検出されたとき用紙送りをマーク検出モードに復帰させ印字動作を継続させる機能を備えていることを特徴とする請求項３又は４に記載のプリンタ。
【請求項６】
制御部は、用紙送りを送り量検出モードに切り替えた後、マーク間送り量を単位として設定された単位の用紙送りが連続したとき、印字動作を停止させる機能を備えたものであることを特徴とした請求項３〜５のいずれか一つに記載のプリンタ。
【請求項７】
位置検出マーク付き連続用紙は、連続したラベル又はタグであって、ラベル又はタグに形成される切欠き又は孔などの貫通部分であることを特徴とした請求項１〜６のいずれか１つに記載のプリンタ。
【発明の詳細な説明】
【技術分野】
【０００１】
この発明は、用紙送り用の位置検出マークが付されている連続用紙に印字を行うプリンタに関する。
【背景技術】
【０００２】
ラベルやタグに印字をしたり、連続用紙に所定区画ごとにデータを繰り返し印字して帳票とするプリンタでは、ラベルやタグあるいは通常の連続紙における所定の区画に印字を適切に行えるように、用紙の位置を正しく把握している必要がある。このため、この種の印字には位置検出マーク付きの連続用紙が用いられる。マークは、センサが検出可能な黒マークや孔、切欠きあるいはラベル用紙のように台紙上にラベルが等間隔に配置されているような連続用紙では、ラベル間のギャップであったりする。これらのマークはいずれも、光電素子の受光出力に変化を与える構成のものが多い。
そして、この種のプリンタは、印字動作中に用紙位置検出センサが何らかの理由で位置検出マークを検出できなかった場合、用紙位置検出エラーとして、以後の印字動作を停止する。この場合、仮に次のマーク検出は正常に検出され得たものであるとしても、印字動作を再開することはない。
このため、外乱光、黒マークの印刷不良、孔の貫通不良など、おそらくはそのときだけの不測の原因で、用紙位置検出センサが検出ミスをした場合、プリンタの印字動作が途中で停止してしまう。
一方、位置検出マーク付き連続用紙に印字するプリンタに関して、多数の特許文献が存在するがこの問題を取り上げているものはない。
【０００３】
例えば、特許文献１は、ラベル用紙に印字するプリンタにおいて、ラベル用紙そのものの有無とラベルにおける印字部位の検出を単一の用紙検出手段（センサ）で行い、設備コスト、製造コストを低減させることを課題としたものであり、特許文献２は、ラベル用紙に印字するプリンタにおいて、「紙無しエラー」のステータス信号をどのタイミングで発信するかの問題に関するもので、ラベル紙に印字中は、その印字中にエラー信号が入ってもその場で印字動作を止めず、そのラベルに対する印字が終了してから「紙無しエラー」のステータス信号を発信してプリント動作を停止するようにしたものである。特許文献３は、ラベル用紙独特の紙詰まりを防止するために、センサを配置してカッター作動時にこのセンサによりラベル用紙が検出されないときはラベルの発行（印字）を停止するようにしたものである。
特許文献４，５，６は、位置検出マークが無い通常の連続紙と、連続した台紙にラベルを配置したいわゆるラベル用紙の双方を利用できるプリンタにおいて、通常の連続紙であるかラベル用紙であるかを自動的に判別して用紙送りのモードを定め、用紙の種類を変えるたびに手動でプリンタの設定を変更する必要を無くしたことを特徴としている。
【０００４】
【特許文献１】特開平０７−１９６２３７号公報
【特許文献２】特開平０４−３２３０７１号公報
【特許文献３】特開平０４−３４７６７０号公報
【特許文献４】特開平０４−２７５１７２号公報
【特許文献５】特開平０５−０８４９９５号公報
【特許文献６】特開２００２―２０５８７２号公報
【発明の開示】
【発明が解決しようとする課題】
【０００５】
この発明は、位置検出マーク付き連続用紙に印字をするプリンタであって、用紙位置検出センサが何らかの理由で位置検出マークを検出できなかった場合にも、所定の印字動作を停止することなく継続するプリンタの提供を課題とする。
【課題を解決するための手段】
【０００６】
位置検出マーク付き連続用紙に印字を行うプリンタは、マーク検出機能と設定した送り量を検出する機能を備え、マーク検出機能を利用した用紙送りモード（マーク検出モード）と設定送り量検出機能を利用した用紙送りモード（送り量検出モード）で動作できる構造を備えたものとする。
すなわち、マーク検出モードは、ラベル用紙及びタグ用紙などの連続用紙に設けられたラベル間のギャップまたはマーク等を検出するマーク検出センサを有し、前記マーク検出センサの検出結果に基づいてマーク位置を基準として連続用紙を印字位置に位置決めして印字を行う動作モードであり、送り量検出モードは、予め設定した単位用紙長に基づいて用紙送り量を基準として連続用紙を印字位置に位置決めして印字を行う動作モードである。
【０００７】
前記のマーク検出機能と設定送り量検出機能は、印字動作中常時動作しているものとし、また、マーク検出機能にエラーが生じたとき、マーク検出モードの動作を送り量検出モードに切り替えて用紙を送り、印字動作を停止することなく印字動作を継続させる制御部を設ける。
制御部は、送り量検出モード中にマークが検出されれば、直ちにマーク検出モードに切り替える。ただし、送り量検出モードがマーク間送り量（用紙長）の数倍になるような場合には、印字動作を停止する。これは、送り量検出モードでの用紙送りが連続すると、用紙搬送経路におけるすべりなどの原因で、実際の用紙送り量との間に誤差が蓄積する恐れがあるのと用紙切れを検出できない場合があることによる。
この発明では、前記マーク検出モードと前記送り量検出モードが同時に動作しているので、プリンタを起動した最初の印字動作は、前記マーク検出モードにおけるマーク位置の検出と前記送り量検出モードにおける単位用紙長の検出のうち、先に検出された検出結果を基準として連続用紙が印字位置に位置決めされ、印字が行なわれる。その後の印字動作はそのまま先に検出された結果のモードで進行させてもよく、あるいは、前記のように、マークが検出された場合には、マーク検出モードに切り換えても良い。
【発明の効果】
【０００８】
連続用紙の印字動作において、マークが検出されないために印字動作が中断される事態を避けることができる。
印字動作において、マーク検出モードを主にして連続用紙を送ると、途中にマーク検出エラーがあっても全体としての印字位置を正確に維持できる。一方、位置検出マークの検出が何らかの理由でエラーとなっても、直ちに送り量検出モードで用紙が送られ、印字動作が中断されないので、印字のための作業能率が改善される。
送り量検出モードで用紙が送られていても、位置検出マークが検出されると直ちにマーク検出モードへ戻るようにすれば、さらに、用紙送りの正確さが維持される。
なお、先に検出された検出結果を基準として連続用紙が印字位置に位置決めされ、その後の印字動作はそのまま先に検出された結果のモードで進行させる設定にすると、このプリンタは、検出マークのない通常の連続紙へ印字するのか、検出マーク付きのいわゆる連続用紙に印刷をするのかを自己判断する結果となる。
【発明を実施するための最良の形態】
【０００９】
〔実施例〕
図１は、実施例のプリンタ１であって、要部のみを模式的に示している。このプリンタ１において、位置検出マーク付き連続用紙２は、ラベル用紙であって、連続した台紙３の上面にラベル４が一定の間隔ｄ１（ギャップ）を持って配置されている。プリンタ１における連続用紙２の搬送経路５は直線で表示されている。
【００１０】
搬送経路５に沿って、位置検出センサ６、印字ヘッド７とプラテン８及び送りローラ９がそれぞれ配置されている。送りローラ９はフィードモータ１０で駆動され、その回転量すなわち用紙の送り量は、送り量検出器１１で検出される。図２のように、プリンタ１は制御部１２を備え、前記の位置検出センサ６の出力、送り量検出器１１の出力は、制御部１２の入力部に基本制御サイクルごとに、すなわち、常時、取り込まれ、制御部１２におけるＲＡＭに記録される。なお、位置検出センサとしては、切欠き、孔を検出する透過式の光学センサと黒マークを検出する反射式の光学センサがある。
【００１１】
また、フィードモータ１０と印字ヘッド７は、それぞれの駆動ドライバを介して制御部１２の出力部に接続され、制御部１２によってその駆動が制御される。なお、制御部１２の前記入力部には、プリンタ１の外部から印字データが入力される。印字データは出力部を介して印字ヘッドのドライバに伝達される。
ＲＡＭには、送り量検出器からの出力を送り量として記録する用紙長カウンタと用紙単位カウンタの領域が設けられている。用紙単位カウンタは、単位用紙長ｄ２（後述）を単位としてカウントする。
【００１２】
ＲＯＭには、後述のマーク検出モードのプログラムと送り量検出モードのプログラム及び印字動作に必要なその他のプログラムが格納されている。ＣＰＵはこれらのプログラムと設定されたパラメータに基づいて印字動作を統括し、制御している。ＣＰＵが行う処理そのものは通常のプリンタの場合と格別に変わるところはない。
【００１３】
図３は、位置検出マーク付き連続用紙２における位置検出マークの例を示すために取り上げたものであり、（イ）における連続用紙２の位置検出マーク１３は、いわゆる黒マークであり、通常の連続紙の裏面に一定の間隔ｄ２で印刷されている。この連続用紙２は、印字後に一定間隔で切断することによりレシートや帳票として利用される。前記の寸法ｄ２は、一回の印字動作で送られるマーク間送り量に等しく、また、使用される用紙の長さ（用紙長）であり、連続紙全体からすると印字動作の単位となる単位用紙長の寸法といえる。
【００１４】
図３（ロ）の連続用紙２は、タグ１４が連続した形態となっており、タグ１４間はミシン目によって個別に切り取りが可能にされている。そして、連続用紙２の両側であってタグ間の境界箇所に位置検出マーク１３として三角形の切欠き１５を対向させて設けている。また、この例では、個々のタグ１４の上部中央に糸通し用の小孔１６が形成されているが、これも位置検出マーク１３として利用することができる。
図３（ハ）の連続用紙２は、いわゆるラベル用紙であり、連続した台紙３の上面にラベル４が所定間隔で配置され、ラベル間には間隔ｄ１（ギャップ）があって、この部分は台紙だけとなっている。このようなラベル用紙では、前記のギャップを位置検出マーク１３として利用することができる。例えば、位置検出センサが光電式の場合には、この間隔ｄ１部分とラベル４の位置とで透光量が異なるので、閾値システムなどを利用して、このギャップの位置を検出することができる。
【００１５】
連続用紙２（図３イのもの）をセットし、プリンタ１を駆動すると、ＣＰＵは、ＲＯＭ中のプログラムを読み取り、まず、ステップｓ１で用紙長カウンタと用紙単位カウンタをリセットする。なお、使用する連続用紙２の単位用紙長ｄ２をあらかじめ入力し、ＲＡＭの所定領域に設定しておく。
ついで、図４に示すステップｓ２以下のフローによる制御となる。
このフローは、大きくマーク検出モードのループと位置検出ループ及び送り量検出モードのループとに分けることができる。
〔マーク検出モードのループ〕
ステップｓ３→  ステップｓ４→  ステップｓ５→  ステップｓ６→  ステップｓ７→  ステップｓ２。
〔位置検出ループ〕
ステップｓ３→  ステップｓ９→  ステップｓ２→  ステップｓ３。
〔送り量検出モードのループ〕
ステップｓ３→  ステップｓ９→  ステップｓ１０→  ステップｓ１１→  ステップｓ５→  ステップｓ６→  ステップｓ７→  ステップｓ２→  ステップｓ３。
【００１６】
〔マーク検出モードの動作〕
ステップｓ２で、フィードモータ１０が駆動され、同時に用紙長カウンタが用紙送り量のカウントを開始する。
ステップｓ３では、最初であるため位置検出マーク１３を検出できないので、ステップｓ９に移行し、位置検出ループに入る。ステップｓ９では最初であるため用紙長カウンタの値は設定した単位用紙長ｄ２に達していないから、ステップｓ２に戻る。用紙が送られて位置検出マーク１３が検出されるまで、この位置検出ループを循環する。
【００１７】
位置検出マーク１３が検出されると、ステップｓ３でマーク検出モードにもどり、ステップｓ４で用紙単位カウンタをリセットし、ステップｓ５で用紙長カウンタをリセットし、ついで、ステップｓ６で印刷を開始する。印刷の動作は通常の場合と同様であって、位置検出マーク１３の位置を基準として印字開始位置へ連続用紙２を送り、その位置で印字を開始する。
ステップｓ６では単位用紙長の領域（一枚のラベル範囲）に印字をし、その終了信号でステップｓ７に移行する。ステップｓ７は、必要枚数のラベルに印字を済ませたかを監視し、済ませていなければステップｓ２に戻り、次の印字動作に移行する。
ステップｓ７で、すべて（例えば、必要枚数）のラベルに印字が終了したと判断できると、ステップｓ８に移行して、フィードモータ１０が停止され、印字動作が終了する。必要枚数を判断するときは別途に枚数カウントシステムを利用する。枚数カウントシステムは周知なものを利用できる。
【００１８】
〔送り量検出モードの動作〕
マーク検出モードの動作において、ステップｓ３でマークが検出されない場合、位置検出ループに入り、マークが検出されるまでこのループを循環するが、実在するはずのマークの検出が不良であった場合、ステップｓ３からステップｓ４に移行できず、その間に連続用紙の送り量が単位用紙長ｄ２に達することになる。すると、印字動作は、ステップｓ９からステップｓ１０へ移行し、印字動作は送り量検出モードとなり、前記ステップｓ１０で用紙単位カウンタで１をカウントし、ステップｓ１１で用紙単位カウンタが３になっていないか判定する。
【００１９】
ステップｓ１１で用紙単位カウンタが３の場合、すでに連続して２回の送り量検出モードでの印字動作があったことを意味し、この様な場合は、搬送経路における用紙のすべりなどを考慮すると、以後印字が正確な位置に行われるか危惧されるので、安全のために止むを得ず、ステップｓ１２で用紙検出エラーを表示し、ステップｓ８に移行してフードモータを停止し、印字動作を中断する。用紙切れの場合も同様に印字動作が中断する。
ステップｓ１１で用紙単位カウンタの値が３に達していない場合は、ステップｓ５に移行し、前記マーク検出モードの場合と同様に印字動作が行われる。この印字動作はマークの検出に基づかず送り量（単位用紙長）を検出したことに基づいた送り量検出モードの動作である。
【００２０】
上記のように、図４のフローは全体としてみると、マーク検出モードを主として印字動作が進行し、連続用紙の位置検出マーク１３が正常に検出されている限りは、マーク検出モードで印字が行われ、何らかの理由で位置検出マーク１３を検出できなかったとき、ステップｓ３から位置検出ループに入り、単位用紙長位置を検出し、その位置を基準として印字動作を継続する。そして、送り量検出モードで印字中にマークが検出されればステップｓ３から直ちにマーク検出モードにもどる。しかし、マークが検出できないときは、ステップｓ１１により、単位用紙長の２倍に相当する用紙を送ったところで用紙検出エラーを表示して、止むなく印字動作を中断するというものである。
したがって、送り量検出モードでの動作が単位用紙長の数倍（設定値）に達するまで連続して生じない限り、印字動作が停止することはないから、通常、印字動作は中断しない。
【００２１】
実施例では、ステップｓ１１における用紙単位カウンタの値（判断基準）を３としているが、事情に応じて適切に設定することができる。
実施例では、ステップｓ９で用紙長カウンタの値が単位用紙長に到達しているかを見ているが、単位用紙長（マーク間送り量）を設定値ｆ１だけ超過してもマークが検出されない場合とすることもできる。値ｆ１は、用紙の滑り等を考慮して適切に設定する値であり、例えば、５ｍｍである。値ｆ１を設定したときは印字位置の割り出しにこの値ｆ１を勘案する計算プログラムとする。
【図面の簡単な説明】
【００２２】
【図１】模式的に示したプリンタの機構図。
【図２】制御の関連を示すブロック図。
【図３】位置検出マークを備えた連続用紙の種類（イ）（ロ）（ハ)を示す平面図。
【図４】実施例における制御のフローを示したチャート図。
【符号の説明】
【００２３】
１  プリンタ
２  連続用紙
３  台紙
４  ラベル
５  搬送経路
６  位置検出センサ
７  印字ヘッド
８  プラテン
９  送りローラ
１０  フィードモータ
１１  送り量検出器
１２  制御部
１３  位置検出マーク
１４  タグ
１５  切欠き
１６  小孔
【図１】
2008238484.tif 000003
【図２】
2008238484.tif 000004
【図３】
2008238484.tif 000005
【図４】
2008238484.tif 000006
【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
ラベル用紙及びタグ用紙などの連続用紙に設けられたラベル間のギャップまたはマーク等を検出するマーク検出センサを有し、前記マーク検出センサの検出結果に基づいてマーク位置を基準として連続用紙を印字位置に位置決めして印字を行うマーク検出モードと、予め設定した単位用紙長に基づいて用紙送り量を基準として連続用紙を印字位置に位置決めして印字を行う送り量検出モードとを有するプリンタにおいて、
前記マーク検出モードと前記送り量検出モードを同時に動作させ、
前記マーク検出モードにおけるマーク位置の検出と、前記送り量検出モードにおける単位用紙長の検出のうち先に検出された検出結果を基準として連続用紙を印字位置に位置決めして印字を行わせる制御部を備えることを特徴としたプリンタ。
【請求項２】
ラベル用紙及びタグ用紙などの連続用紙に設けられたラベル間のギャップまたはマーク等を検出するマーク検出センサを有し、前記マーク検出センサの検出結果に基づいてマーク位置を基準として連続用紙を印字位置に位置決めして印字を行うマーク検出モードと、予め設定した単位用紙長に基づいて用紙送り量を基準として連続用紙を印字位置に位置決めして印字を行う送り量検出モードとを有するプリンタにおいて、
前記マーク検出モードで動作中に前回のマーク検出位置からマーク間送り量（単位用紙長）に達し、さらに、設定値ｆ１だけ超過してもマークが検出されない場合をマーク検出エラーと判断し、前記送り量検出モードに切り換えて印字動作を継続させるとともに、送り量検出モードに切り替わった後、マークが検出されたとき用紙送りをマーク検出モードに復帰させ印字動作を継続させる制御部を備えることを特徴としたプリンタ。
【請求項３】
制御部は、用紙送りを送り量検出モードに切り替えた後、マーク間送り量を単位として設定された単位の用紙送りが連続したとき、印字動作を停止させる機能を備えたものであることを特徴とした請求項１又は２に記載のプリンタ。
【手続補正２】
【補正対象書類名】明細書
【補正対象項目名】０００８
【補正方法】変更
【補正の内容】
【０００８】
連続用紙の印字動作において、マークが検出されないために印字動作が中断される事態を避けることができる。
印字動作において、マーク検出モードを主にして連続用紙を送ると、途中にマーク検出エラーがあっても全体としての印字位置を正確に維持できる。一方、位置検出マークの検出が何らかの理由でエラーとなっても、直ちに送り量検出モードで用紙が送られ、印字動作が中断されないので、印字のための作業能率が改善される。
送り量検出モードで用紙が送られていても、位置検出マークが検出されると直ちにマーク検出モードへ戻るようにすれば、さらに、用紙送りの正確さが維持される。